(57)【特許請求の範囲】
【請求項１】
光ビームにより像を投写する照明装置であって、
光放出窓を有し、光源と該光源が発生させた放射を長手軸線に沿って指向させる光学系とを収容するハウジングと、
前記光ビーム内で前記長手軸線に対し垂直に配置された像形成面と、を備え、
前記光源が少なくとも１つの発光ダイオードを有し、前記光学系が光ビームを平行化するコリメータ素子を有し、
前記コリメータ素子の一部分が全反射を生じさせる、
ことを特徴とする照明装置。
【請求項２】
前記光源が単一の発光ダイオードより成り、その光束が動作中少なくとも５ルーメンである、
請求項１に記載の照明装置。
【請求項３】
前記発光ダイオードの側とは反対側のコリメータ素子の表面が湾曲している、
請求項１又は２に記載の照明装置。
【請求項４】
前記光学系が更に、平行化された光ビームを像形成面上に集束させる集束レンズを有している、
請求項１又は２に記載の照明装置。
【請求項５】
前記コリメータ素子と、前記集束レンズとが相俟って、全体的に一体化されている、
請求項４に記載の照明装置。
【請求項６】
前記集束レンズがフレネルレンズとなるように構成されている、
請求項４に記載の照明装置。
【請求項７】
この照明装置が、像形成面の像を投写する投写レンズを有している、
請求項１又は２に記載の照明装置。
【請求項８】
前記投写レンズが、フレネルレンズとなるように構成されている、
請求項７に記載の照明装置。
【請求項９】
前記発光ダイオードが、メタルコアのプリント回路板上に装着されている、
請求項１又は２に記載の照明装置。
【請求項１０】
前記ハウジングが金属から形成され、このハウジングに冷却用フィンが設けられ、金属コアのプリント回路板が、熱伝導接続部を介して金属ハウジングと接触している、
請求項９に記載の照明装置。
【請求項１１】
この照明装置が、発光ダイオードの光束を変える制御電子装置を備えている、
請求項１又は２に記載の照明装置。
【発明の詳細な説明】
【０００１】
本発明は、光放出窓を有し、光源と、この光源により発生さすべき放射を長手軸線に沿って指向させる光学系とを収容するハウジングと、
光ビーム内で前記長手軸線に対し垂直に配置さすべき像形成面と
を具え、光ビームにより像を投写する照明装置に関するものである。
【０００２】
このような照明装置自体は既知である。これらの照明装置は、特にステージ照明のような劇場照明において、特にステージ、スクリーン、背景又は背景幕上に像又はシルエットを投写するために用いられる。これらの照明装置の他の適用には、見込み客の注意を引くために、ロゴや文やその他の像をビルディングの前面又は例えばシヨーウィンドウの前の路面上に投写することが含まれる。ハウジングに可動ミラーを設けることにより、一般に動的な効果が得られる。更に、上述した照明装置は一般に、ＧＯＢＯとも称される複数の像形成面を有する。他の例では、これらのＧＯＢＯは回転可能な透明シート上に装着され、その都度異なるＧＯＢＯが照明装置により結像される。
【０００３】
劇場照明として用いられるいわゆる光パターン発生器は、欧州特許出願公開第 0253081号明細書から既知であり、この場合ハロゲンランプ又はメタルハライドランプが光源として用いられている。光源から生じる光は反射器を用いて平行光ビームに変えられ、レンズにより像形成面上に集束される。次に、この像形成面が対応する像に形成される。
【０００４】
上述した種類の照明装置には重大な欠点がある。これらはしばしば大型で、比較的重く、比較的高価である。更に、これらの照明装置の場合、例えば、ランプを規則的に配置する必要がある点で、維持費が比較的多く必要となる。
【０００５】
本発明の目的は、上述した欠点を回避することにある。本発明の目的は特に、エネルギー消費量及び維持費を比較的低くすると同時に、構成を簡単且つ廉価にした、頭書に記載した種類の照明装置を提供せんとするにある。
【０００６】
この目的を達成するために、本発明による照明装置では、前記光源が少なくとも１つの発光ダイオードを有し、前記光学系が光ビームを平行化するコリメータ素子を有していることを特徴とする。
【０００７】
発光ダイオード（ＬＥＤ）の寿命は６００００時間を超え、これは既知の照明装置に用いられているハロゲンランプ又はメタルハライドランプの寿命よりも著しく長い。更に、発光ダイオードのエネルギー消費量は比較的低い（ランプのエネルギー消費量が５０〜２００ワットであるのに対し約１ワットである）。
【０００８】
電気光学素子とも称されるオプトエレクトロニク素子、例えば、発光ダイオード（ＬＥＤ）のようなエレクトロルミネッセンス素子を光源として用いることにより、光学的な効率の高い照明装置が得られる。この要因及びその他の要因の結果、発光ダイオードを用いることにより照明装置のエネルギー消費量及び寸法が減少するも、これに比例して光出力は減少しない。
【０００９】
複数の発光ダイオードを用いる場合には、これらをアレイに配置し、各ＬＥＤに１つのコリメータ素子を関連させる。他の例では、照明装置が複数のコリメータ素子と関連する複数の発光ダイオードを有し、異なる色の種々の像を順次に又は同時に投写しうるようにする。１つ以上のＬＥＤを１つのコリメータ素子と関連させることができる。その結果、ＬＥＤを用いることにより、動的な照明を行なうことができるという更なる利点が得られる。異なる種類のＬＥＤを組合せるか、異なる色のＬＥＤを用いるか、これらの双方を行なう場合には、色を所望通りに混合させることができ、しかも例えば、いわゆるカラーホィールを用いる必要なく、色を変えることができる。これを達成させるために、本発明による照明装置の好適例は、ＬＥＤの光束を変える制御電子装置を具える。この手段によれば、所望のカラー効果を達成しうる。ＬＥＤを適切に組合せることにより、白色光を得ることもでき、制御電子装置を用いて、照明装置の動作中一定に維持される所望の色温度を設定することができる。この手段を用いることにより、光束の調光を達成することができる。制御電子装置は通常、ハウジング内に収容されていることに注意すべきである。しかし、原理的には、制御電子装置をハウジングの外部に設けることができる。
【００１０】
既知の照明装置の他の欠点は、照明装置の動作中に、使用する光源が特に赤外線（ＩＲ）放射の形態で比較的多くの熱を放出するということである。更に、このような光源は比較的多くのＵＶ放射を発生する。その結果、照明装置内の光学部品に対し合成樹脂を用いることができないということが分った。合成樹脂より成る光学系の部品はＵＶ放射による影響の下で劣化するか、又はＩＲ放射による影響の下で溶融するか、又はこれらの双方が生じることを確かめた。従って、既知の照明装置における光学系はガラスから成っている。ＬＥＤは放射熱及びＵＶ光の双方又はいずれか一方をガス放電ランプ又はハロゲンランプよりもそれ程発生しない為、本発明による照明装置では、光源により発生される放射を指向させるのに用いる光学系の部品に対し合成樹脂を用いることができるようになる。発光ダイオードの温度は、既知の照明装置におけるランプの温度よりも著しく低い（後者の温度が約２００℃であるのに対し、前者の温度は約５０℃である）。更に、照明装置のハウジング内の光路を光源に適合させることができる。更に、この適合に必要な寸法上の精度を有する合成樹脂の光学部品を、ガラス部品に比べて比較的容易に且つ廉価に製造しうる。この点で、ポリメチルメタクリレート（ＰＭＭＡ）又はポリカーボネート（ＰＣ）の光学系を用いて満足な結果が達成される。
【００１１】
発光ダイオードを囲むコリメータ素子を用いることにより、既知の照明装置におけるような反射器を用いないで済む。コリメータ素子は更に、動作中発光ダイオードにより放出される光を平行光ビームにする。コリメータ素子では、好ましくは、光の反射及び全内面反射の双方を行なわしめ、これにより既知の照明装置で反射器上に設けられているような反射性被膜を設けないで済むようになる。
【００１２】
本発明による照明装置はコンパクトで且つ軽量であり、そのエネルギー消費量及び維持費が少なくて済む。
【００１３】
本発明による照明装置の例では、前記光源が単一の発光ダイオードより成り、その光束が動作中少なくとも５ルーメンであることを特徴とする。
【００１４】
単一のＬＥＤを用いることによる利点は、照明装置が極めてコンパクトになるということである。現在、いわゆる高効率で高出力のＬＥＤが市販されている。１つのＬＥＤ当りの光束は少なくとも１０ルーメンとし、好ましくは３０ルーメンよりも高くする。これらの高出力ＬＥＤを用いることにより、極めてコンパクトなハウジングを有する照明装置を製造しうるようになる。
【００１５】
本発明の照明装置の好適例では、ＬＥＤをメタルコアのプリント回路板上に装着することを特徴とする。ＬＥＤをこのようなメタルコアのプリント回路板（ＭＣ‐ＰＣＢ）上に設けると、ＬＥＤにより発生される熱を熱伝導によりＰＣＢを介して容易に消散させることができる。単一のＬＥＤのみを有する光源を具える照明装置の場合、ＭＣ‐ＰＣＢを使用する必要はない。
【００１６】
本発明による照明装置の好適例では、前記ハウジングが金属から形成され、このハウジングに冷却用フィンが設けられ、金属コアのプリント回路板が、熱伝導接続部を介して金属ハウジングと接触していることを特徴とする。このような熱伝導接続部は、金属ハウジングに連結された金属プレート上にＭＣ‐ＰＣＢを装着することにより形成するのが好ましい。本例では、ＬＥＤ内に発生された熱を（熱）伝導により、ＭＣ‐ＰＣＢ及び金属プレートを介してハウジング及び冷却用フィンに消散させることができ、従って、熱は外部に消散される。この場合、既知の照明装置と相違して、熱を消散させるための強制的な空気冷却が不必要となる。光源として用いるＬＥＤは、ハロゲンランプ又はメタルハライドランプを用いた既知の照明装置における光源のようには、熱を放出しない。ＬＥＤから生じる熱は熱伝導により消散される。
【００１７】
本発明の照明装置の好適例では、前記光学系が更に、平行化された光ビームを像形成面上に集束させる集束レンズを有しているようにする。本発明の照明装置の好適例では、前記コリメータ素子と、前記集束レンズとが相俟って、全体的に一体化されているようにする。このようにすることにより、照明装置が更にコンパクトになる。照明装置の変形例では、集束レンズをフレネルレンズとなるように構成する。集束レンズはＰＭＭＡ又はＰＣのような合成樹脂を以て構成し、所望の光学的なフレネル構造が射出成形により得られるようにするのが好ましい。
【００１８】
本発明の好適例では、照明装置が、像形成面の像を投写する投写レンズをも有するようにする。投写レンズは、好ましくは、フレネルレンズとなるように構成する。これにより、照明装置を一層コンパクトにする。このようなフレネルレンズは合成樹脂、例えば、ＰＭＭＡ又はＰＣから造るのが好ましい。レンズ誤差を回避するには、投写レンズを非球面レンズとなるように構成するのが好ましい。変形例では、投写レンズが、画質を高める（レンズ誤差を補正する）回折構造を有するようにする。
【００１９】
本発明の上述した観点及びその他の観点は以下の実施例に関する説明から明らかとなるであろう。
図面は線図的なものであって、実際のものに正比例させて描いていない。図面では、可能な限り同様な部分に同じ符号を付した。
図１は、光ビームにより像を投写する本発明による照明装置の線図的斜視図である。この照明装置はハウジング１を有し、このハウジング１に対して移動しうる調整部材７１内に光放出窓２が設けられている。この照明装置は、動作中、長手軸線５に沿って光ビームを放出する。ハウジングには冷却用フィン１１が設けられており、このハウジングは、本例では３本の可撓性脚部２１、２１′上に置かれている支持体２０により支持されている。この照明装置には、それ自体既知の、例えば、型番Ｅ１４又はＥ２７の口金を設けるか、又はこの照明装置をこの口金で懸垂することもできる。
【００２０】
図２Ａは、図１に示す本発明による照明装置を、その一部を断面図とし他の一部を斜視図として示す線図である。ハウジング１には冷却用フィン１１が設けられ、このハウジングは可撓性脚部２１、２１′上に置かれた支持体２０により支持されている。ハウジング１には、更に、電気接続ケーブルを通すための孔９があけられている。ハウジング１には、ＬＥＤ３を動作させるのに必要な制御電極（図面を明瞭にするために図示せず）も設けられている。これらの制御電極は、必要に応じ、ハウジング１の外部に設けることもできる。
【００２１】
ハウジング１は、光源３と、この光源３により発生さすべき放射を長手軸線５に沿って指向させる光学系４（図２Ｂ参照）とを収容している。ハウジング１は更に、光ビーム内で長手軸線５に対し直角に配置された像形成面６も収容している。この像形成面６はＧＯＢＯ（演劇及び映画界で用いられる“GO BlackOut ”の略語）とも称される。ＧＯＢＯは一般に、光を選択的に透過するマスクとして作用する薄肉の金属シートを以て構成されているか、或いは、像が設けられている（着色）ガラスを以て構成することができる。像形成面６は、光を屈折させる（ギリシア語“kukaloris ”から生じた）いわゆるクッキー（Cookie）を有するようにすることもできる。一般に、照明装置は、回転可能な透明プレート上に装着された複数のＧＯＢＯを有し、この照明装置はその都度異なるＧＯＢＯを結像させる。
【００２２】
本発明の手段によれば、光源は、照明装置のハウジング１内に収容された発光ダイオード３を有する。光学系４は、光ビームを平行にするコリメータ素子１４を有する。図２Ａ及び図２Ｂに示す例では、光学系（一体化素子）４は平行化機能と集束機能とを有する。
【００２３】
本発明の照明装置では、従来の照明装置から既知の光源の代りに発光ダイオード（ＬＥＤ）を用いる為、例えば、広告文と、会社のロゴ及び／又はブランド名の画像との双方又はいずれか一方のような透明陽画を有する、光学的に透明な合成樹脂から像形成面を製造するのが好ましい。
【００２４】
図２Ａの例では、ハウジングが１つのＬＥＤ３と、これに関連する１つの像形成面６とを有する。このようにすることにより、極めてコンパクトな照明装置が得られる。光放出窓２を含むハウジング１の、長手軸線５に沿って測った長さは５〜１０cmの範囲内である。既知の照明装置の長さは一般に、３０〜１００cmの範囲内である。
【００２５】
光出力の高い照明装置を得るためには、ＬＥＤのいわゆるパワーパッケージを光源として用いることができる。例えば、“Barracuda ”（ヒューレットパッカード社の商品名）型の高効率、高出力ＬＥＤを用いることができる。１つのＬＥＤ当りの光束は赤色ＬＥＤの場合１０ルーメンであり、緑色ＬＥＤの場合１３ルーメンである。これらの高効率、高出力ＬＥＤを用いることにより、所望の比較的高い光出力に対しＬＥＤの個数を比較的少なくすることができるという特定の利点が得られる。このことは、製造すべき照明装置の小型化や効率に寄与する。他の例では、“Prometheus” （ヒューレットパッカード社の商品名）型のＬＥＤを高効率、高出力ＬＥＤとして用い、この場合、１つのＬＥＤ当りの光束は赤色ＬＥＤの場合３５ルーメンであり、緑色ＬＥＤの場合３０ルーメンである。１つ以上の高効率、高出力ＬＥＤを光源として用いることにより、日中でも見やすい照明装置が得られ、その輝度は既知の照明装置の輝度に匹敵しうる。
【００２６】
ＬＥＤ３は、メタルコアの（金属を芯とした）プリント回路板（ＭＣ‐ＰＣＢ）１３上に装着するのが好ましい。この金属コアプリント回路板１３は、冷却用フィン１１が設けられている金属ハウジング１と、熱伝導接続部を介して接触している。このような熱伝導接続部は、ＭＣ‐ＰＣＢ１３を金属ハウジング１に直接接続するか又は金属プレートを介して接続することにより得るのが好ましい。ＬＥＤ３内で発生される熱は、ＭＣ‐ＰＣＢ１３を介する（熱）伝導によりハウジング１及び冷却用フィン１１に消散させることができ、この処理では、外界への熱消散が達成される。この場合、既知の照明装置で用いられているような熱消散のための強制的な空気冷却が不必要となるという利点が得られる。
【００２７】
図２Ａに示す照明装置における光学系４は更に、平行光ビームを像形成面６に集束させる集束レンズ１５を有する。図２Ａの光学系４を拡大して示す図２Ｂに示すように、ＬＥＤ３がコリメータ素子１４と組み合わされ、このコリメータ素子が集束レンズ１５と組み合わされ、これら全体が一体化されている。この一体化素子４はコリメータ機能と集束機能とを有する。ＬＥＤ３はＭＣ‐ＰＣＢ１３上に設けられ、光軸２５を有し、動作中光を放出する発光体２１より成る。図２Ｂに示す例では、ＬＥＤ３の発光体２１に、例えばレンズの形態の光透過性エンベロープ２１′が設けられている。コリメータ素子１４と集束レンズ１５とが相俟って光学系４を形成し、ＬＥＤ３の光軸２５と一致する光軸２５′を有する。本発明の照明装置の更に他の例では、コリメータ素子を、フレネルレンズ（図３Ｂ参照）となるように構成する。
【００２８】
図２Ａに示す照明装置は更に、像形成面６の像を投写する投写レンズ７、７′を有する。図２Ａに示す例では、２つの投写レンズ７、７′、すなわち、ハウジング１に対して固定位置にある第１投写レンズ７と、ハウジング１上に（例えばらせん運動により）変位自在に設けられた調整部材７１内に装着され、長手軸線５に沿って移動しうる第２投写レンズ７′とが用いられている。このようにすることにより、像形成面６の鮮明な像が得られる。照明装置の他の例では、集束レンズをフレネルレンズとなるように構成する。集束レンズは合成樹脂から形成するのが好ましい。
【００２９】
図３Ａは、ＬＥＤ３３と関連するコリメータ素子３４の一実施例を有する当該ＬＥＤ３３の断面図である。このＬＥＤ３３は光軸３５を有しており、動作中光を放出する発光体３１を以て構成されている。図３Ａの例においては、ＬＥＤ３３の発光体３１に、例えばレンズの形態の光透過性エンベロープ３１′が設けられている。コリメータ素子３４は、ＬＥＤ３３の光軸３５と一致する光軸３５′を有する。コリメータ素子３４の形状は、ＬＥＤ３３から生じる光が、光学系により、コリメータ素子３４の光軸３５′に対し平行な方向に放出されるように選択する（コリメータ素子３４を通過する光線は極めて線図的に示してある）。この手段によれば、ＬＥＤ３３の光度が（光軸３５に平行な）順方向で増大する。この目的のために、コリメータ素子３４の表面３８及び３８′を、ＬＥＤ３３から生じて表面３８に当る光が表面３８′を通過した後にコリメータ素子３４の光軸３５′に対し平行に延在（屈折）する平行光ビームとなるように湾曲させる。更に、コリメータ素子３４の表面３９；３９′と、これに関連する表面４０；４０′とを、ＬＥＤ３３から生じて表面３９；３９′に当る光が表面４０；４０′に向う方向に完全に反射（全内面反射）され、表面４０；４０′の通過後にコリメータ素子３４の光軸３５′に対し平行に延在する平行光ビームとなるように湾曲させる。この場合、反射性被膜を省略しうる。
【００３０】
図３Ｂは、ＬＥＤ４３と、フレネルレンズ４４となるように構成したコリメータ素子とを有する照明装置の他の実施例を示す線図的断面図である。ＬＥＤ４３は光軸４５を有し、動作中光を放出する発光体４１を以て構成されている。図３Ｂの例では、ＬＥＤ４３の発光体４１に、例えばレンズの形態の光透過性エンベロープ４１′が設けられている。コリメータ素子４４はＬＥＤ４３の光軸４５と一致する光軸４５′を有する。本例では、コリメータ素子４４がフレネルレンズとなるように構成されている為、ＬＥＤ４３から生じる光が光学系を通り、コリメータ素子４４の光軸４５′に対し平行な方向で放出される。
【００３１】
当業者にとっては、本発明の範囲内で種々の変更が可能であること明らかである。
本発明の範囲は上述した実施例に限定されず、本発明は上述した特徴事項の各々で、又これらの任意の組合せで構成しうる。
【図面の簡単な説明】
【図１】  本発明による照明装置の一実施例を示す斜視図である。
【図２Ａ】  図１に示す本発明による照明装置を、その一部を断面図とし、他の一部を斜視図として示す線図である。
【図２Ｂ】  投写レンズと一体化したコリメータ素子の一実施例を有するＬＥＤの断面図である。
【図３Ａ】  コリメータ素子の一実施例を有するＬＥＤの断面図である。
【図３Ｂ】  フレネルレンズとなるように構成したコリメータ素子の一実施例を有するＬＥＤの断面図である。
【図１】
0004620924.tif 000002
【図２Ａ】
0004620924.tif 000003
【図２Ｂ】
0004620924.tif 000004
【図３Ａ】
0004620924.tif 000005
【図３Ｂ】
0004620924.tif 000006